【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
画像の表示面上に設けた入力領域内で、指示手段を移動させたときのその移動軌跡を検出し、その移動軌跡の画像を表示させるように構成されたプレゼンテーションシステムであって、
前記移動軌跡の画像を表示する際のオフセット量を前記指示手段の操作に応じて設定する手段と、
前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる手段と、
を有することを特徴とするプレゼンテーションシステム。
【請求項２】
表示された前記第１の軌跡画像を残しつつ前記第２の軌跡画像を消去する手段を更に有することを特徴とする請求項１に記載のプレゼンテーションシステム。
【請求項３】
前記第１の軌跡画像の始点位置の周辺領域における画像の複写画像を、前記第２の軌跡画像の始点位置に表示させる手段を更に有することを特徴とする請求項１または２に記載のプレゼンテーションシステム。
【請求項４】
前記第１および第２の軌跡画像相互の縮尺を設定する手段を更に有することを特徴とする請求項１または２に記載のプレゼンテーションシステム。
【請求項５】
前記第１および第２の軌跡画像相互の縮尺を設定する手段と、
前記第１の軌跡画像の始点位置の周辺領域における画像の複写画像を、設定された前記縮尺に従い、前記第２の軌跡画像の始点位置に表示させる手段と、
を更に有することを特徴とする請求項１または２に記載のプレゼンテーションシステム。
【請求項６】
前記複写画像は透過表示とすることを特徴とする請求項３または５に記載のプレゼンテーションシステム。
【請求項７】
画像を表示する表示装置と、
この表示装置による画像の表示面上に設けた入力領域における指示手段の操作に係る情報を入力する入力装置と、
この入力装置によって入力された情報に基づいて、前記表示装置により表示される画像およびカーソルを制御する制御装置と、
を有するプレゼンテーションシステムであって、
前記指示手段は、その指示手段の動作状態の情報を含む制御データを出力するように構成されており、
前記入力装置は、前記入力領域における前記制御データを受けた位置の座標を検出するとともに前記制御データに基づき前記指示手段の動作状態を検出する手段を有し、
前記制御装置は、
前記指示手段の動作状態として第１の動作状態が前記入力装置により継続的に検出される間は、その間の前記指示手段の移動に応じた前記カーソルの移動を行う一方、
前記指示手段の動作状態として第２の動作状態が前記入力装置により継続的に検出される間は、前記指示手段の移動軌跡に対応する第１の軌跡画像を、その期間の開始時点における前記カーソルの位置を起点に表示させるとともに、前記移動軌跡に対応する第２の軌跡画像を、前記開始時点において前記指示手段により指示された位置を起点に表示させる
ことを特徴とするプレゼンテーションシステム。
【請求項８】
画像の表示面上に設けた入力領域内で、指示手段を移動させたときのその移動軌跡を検出し、その移動軌跡の画像を表示させるように構成されたプレゼンテーションシステムの制御方法であって、
前記移動軌跡の画像を表示する際のオフセット量を前記指示手段の操作に応じて設定する設定工程と、
前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる表示工程と、
を有することを特徴とするプレゼンテーションシステムの制御方法。
【請求項９】
画像の表示面上に設けた入力領域内で、指示手段を移動させたときのその移動軌跡を検出し、その移動軌跡の画像を表示させるように構成されたプレゼンテーションシステムの制御方法をコンピュータに実行させるためのプログラムであって、当該コンピュータに、
前記移動軌跡の画像を表示する際のオフセット量を前記指示手段の操作に応じて設定する設定工程と、
前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる表示工程と、
を実行させるプログラム。
【請求項１０】
請求項９に記載のプログラムを格納したコンピュータ読み取り可能な記憶媒体。
【手続補正２】
【補正対象書類名】明細書
【補正対象項目名】発明の名称
【補正方法】変更
【補正の内容】
【発明の名称】プレゼンテーションシステム及びその制御方法並びにプログラム及び記憶媒体
【手続補正３】
【補正対象書類名】明細書
【補正対象項目名】００１９
【補正方法】変更
【補正の内容】
【００１９】
本発明の一側面は、画像の表示面上に設けた入力領域内で、所定の動作状態にある指示手段を移動させたときのその移動軌跡を検出し、その移動軌跡の画像を表示させるように構成されたプレゼンテーションシステムに係り、前記移動軌跡の画像を表示する際のオフセット量を前記指示手段の操作に応じて設定する手段と、前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる手段とを有する。
【手続補正４】
【補正対象書類名】明細書
【補正対象項目名】００２０
【補正方法】変更
【補正の内容】
【００２０】
本発明の別の側面は、画像を表示する表示装置と、この表示装置による画像の表示面上に設けた入力領域における指示手段の操作に係る情報を入力する入力装置と、この入力装置によって入力された情報に基づいて、前記表示装置により表示される画像およびカーソルを制御する制御装置とを有するプレゼンテーションシステムに係る。前記指示手段は、その指示手段の動作状態の情報を含む制御データを出力するように構成される。また、前記入力装置は、前記入力領域における前記制御データを受けた位置の座標を検出するとともに前記制御データに基づき前記指示手段の動作状態を検出する手段を有する。そして、前記制御装置は、前記指示手段の動作状態として第１の動作状態が前記入力装置により継続的に検出される間は、その間の前記指示手段の移動に応じた前記カーソルの移動を行う一方、前記指示手段の動作状態として第２の動作状態が前記入力装置により継続的に検出される間は、前記指示手段の移動軌跡に対応する第１の軌跡画像を、その期間の開始時点における前記カーソルの位置を起点に表示させるとともに、前記移動軌跡に対応する第２の軌跡画像を、前記開始時点において前記指示手段により指示された位置を起点に表示させる。
【手続補正５】
【補正対象書類名】明細書
【補正対象項目名】００２１
【補正方法】変更
【補正の内容】
【００２１】
また、本発明の更に別の側面は、画像の表示面上に設けた入力領域内で、指示手段を移動させたときのその移動軌跡を検出し、その移動軌跡の画像を表示させるように構成されたプレゼンテーションシステムの制御方法に係り、前記移動軌跡の画像を表示する際のオフセット量を前記指示手段の操作に応じて設定する設定工程と、前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる表示工程とを有する。
【手続補正６】
【補正対象書類名】明細書
【補正対象項目名】００２２
【補正方法】変更
【補正の内容】
【００２２】
また、本発明の更に別の側面は、画像の表示面上に設けた入力領域内で、指示手段を移動させたときのその移動軌跡を検出し、その移動軌跡の画像を表示させるように構成されたプレゼンテーションシステムの制御方法をコンピュータに実行させるためのプログラムに係り、このプログラムは、当該コンピュータに、前記移動軌跡の画像を表示する際のオフセット量を前記指示手段の操作に応じて設定する設定工程と、前記移動軌跡に対応する第１の軌跡画像を、前記表示面上における前記設定されたオフセット量だけオフセットした位置に表示させるとともに、前記移動軌跡に対応する第２の軌跡画像を、オフセットしない位置にも表示させる表示工程とを実行させることを特徴とする。